(57)【特許請求の範囲】
【請求項１】
下端面開口の周壁２を頂壁３周縁から垂設し、かつ該頂壁上面に外周部を残して凹部４を設け、該凹部付きの頂壁部分に、左半が円形透孔5aでかつ右半が該円形透孔直径よりも巾狭の矩形透孔5bとする、鍵穴形の挿入孔５を穿設した外容器体１と、
該外容器体内へ可撓性に富む袋状胴部２を収納させると共に、該袋状胴部上端から上記頂壁３上方へ起立する口頸部11下部を上記矩形透孔5bへ左右方向への摺動が可能に嵌合させ、かつ上記頂壁３直ぐ下方の口頸部部分外面に付設した外向きフランジ12上面を矩形透孔5b周辺の頂壁部分下面へ係合させ、また、上記頂壁３上方の口頸部部分外面へ螺合させた装着筒13を介して袋状胴部10内へシリンダ14を垂下し、該シリンダ内から上方へ付勢させてノズル15付きヘッド16を上端部に有する作動部材を起立する、袋状容器付きのヘッド押下げ式ポンプ７と、
上記矩形透孔5bと装着筒13下端との間の口頸部部分を、板部20の前後いずれかの側縁から前後方向中間まで穿設した割溝21内へ前後摺動可能に嵌合させて、該割溝周辺の板部部分を上記装着筒13下端と矩形透孔5b周辺の頂壁部分とで強制引き抜き可能に挟持させ、かつ、その板部20を凹部付きの頂壁部分内へ嵌合させた仮止め板20とからなり、
上記挿入孔５を、ノズル15は矩形透孔5b内を、かつヘッド16と装着筒13とは円形透孔5a内を、それぞれ通って上方へ通過させることが可能な大きさに形成したことを特徴とする液体吐出容器。
【請求項２】
外向きフランジ12を円形透孔5aより大外径とした請求項１の液体吐出容器。
【発明の詳細な説明】
【０００１】
【発明の属する技術分野】
本発明は、ポンプ式の液体吐出容器に係る。
【０００２】
【従来の技術】
【発明が解決しようとする課題】
例えば、実開平４−132064号公報が示すようなヘッド押下げ式のポンプ式吐出容器が知られている。該容器は、下端を着脱可能な底蓋で閉塞させた胴部上端から口頸部を起立した外容器体と、該外容器体胴部内へ収納させた袋状胴部上端から外容器体口頸部上方へ吐出筒を起立させ、該吐出筒上部に外向きフランジを付設した袋状内容器と、上記外向きフランジと外容器体口頸部上端との間の吐出筒部分へＣ字形板部を強制引き抜き可能に嵌合させると共に、該Ｃ字形板部の上面内周部を上記外向きフランジ下面へ、かつＣ字形板部下面を口頸部上端面へ、それぞれ係合させ、また、そのＣ字形板部の上面外周部に摘み部を付設した支持板と、容器体口頸部に螺合させた装着筒から上記吐出筒を通して袋状体内へシリンダを垂設し、該シリンダ内面から上方へ付勢させてノズル付きヘッドを上端部に有する作動部材を起立するヘッド押下げ式のポンプとで形成され、外容器体からポンプおよび底蓋を取り外し、かつＣ字形板部を強制引き抜きして、外容器体内から袋状内容器を取り出し、次いで、外容器体内へ交換用の袋状内容器を収容させ、かつ該袋状内容器の吐出筒外面へＣ字形板部を強制嵌合させることで、交換用の袋状内容器を外容器体へ固定できるよう形成している。
【０００３】
しかしながら、袋状内容器は肉薄で柔軟であるため扱い難く、袋状内容器を交換する際、吐出筒がぐらついて外容器体口頸部内へ円滑に嵌合できず、袋状内容器を交換するのに手数を要することがあった。
【０００４】
請求項１の容器は、袋状内容器を容易に交換できるよう設けた。
請求項２の容器は、請求項１の容器と比して一層容易に袋状内容器を交換できるよう設けた。
【０００５】
【課題を解決するための手段】
第１の手段として、下端面開口の周壁２を頂壁３周縁から垂設し、かつ該頂壁上面に外周部を残して凹部４を設け、該凹部付きの頂壁部分に、左半が円形透孔5aでかつ右半が該円形透孔直径よりも巾狭の矩形透孔5bとする、鍵穴形の挿入孔５を穿設した外容器体１と、該外容器体内へ可撓性に富む袋状胴部２を収納させると共に、該袋状胴部上端から上記頂壁３上方へ起立する口頸部11下部を上記矩形透孔5bへ左右方向への摺動が可能に嵌合させ、かつ上記頂壁３直ぐ下方の口頸部部分外面に付設した外向きフランジ12上面を矩形透孔5b周辺の頂壁部分下面へ係合させ、また、上記頂壁３上方の口頸部部分外面へ螺合させた装着筒13を介して袋状胴部10内へシリンダ14を垂下し、該シリンダ内から上方へ付勢させてノズル15付きヘッド16を上端部に有する作動部材を起立する、袋状容器付きのヘッド押下げ式ポンプ７と、上記矩形透孔5bと装着筒13下端との間の口頸部部分を、板部20の前後いずれかの側縁から前後方向中間まで穿設した割溝21内へ前後摺動可能に嵌合させて、該割溝周辺の板部部分を上記装着筒13下端と矩形透孔5b周辺の頂壁部分とで強制引き抜き可能に挟持させ、かつ、その板部20を凹部付きの頂壁部分内へ嵌合させた仮止め板20とからなり、上記挿入孔５を、ノズル15は矩形透孔5b内を、かつヘッド16と装着筒13とは円形透孔5a内を、それぞれ通って上方へ通過させることが可能な大きさに形成した。
【０００６】
第２の手段として、上記第１の手段を具備すると共に、外向きフランジ12を円形透孔5aより大外径とした。
【０００７】
【発明の実施の形態】
本実施形態の容器は、外容器体１、袋状容器付きのヘッド押下げ式ポンプ７および仮止め板19から形成されている。
【０００８】
外容器体１は、図１が示すように、下端面開口の周壁２を頂壁３周縁から垂設し、かつ該頂壁上面に外周部を残して凹部４を設け、該凹部付きの頂壁部分に、左半が円形透孔5aでかつ右半が該円形透孔よりも巾狭の矩形透孔5bとする、鍵穴形の挿入孔５を穿設している。該挿入孔は、後述ノズル15が矩形透孔5b内を、かつ後述ヘッド16と装着筒13とが円形透孔5a内を、それぞれ通って上方へ通過させることが可能な大きさに形成している。
【０００９】
袋状容器付きのヘッド押下げ式ポンプ７は、図４が示すように、袋状容器８とポンプ体９とで形成され、袋状容器８は、合成樹脂製シートを熱溶着により張り合わせて形成した可撓性に富む袋状胴部10上端から、該胴部に比して厚肉とした口頸部11を起立し、該口頸部下部を、図２が示すように、上記矩形透孔5bへ左右方向への摺動が可能に嵌合させている。また、上記外容器体１の頂壁３直ぐ下方の口頸部部分外面には、上記円形透孔5aより大外径の外向きフランジ12を付設して、該外向きフランジ上面を上記矩形透孔5b周辺の頂壁部分下面へ係合させ、また、その外向きフランジ12上方の口頸部部分外面に螺条を周設している。
【００１０】
ポンプ体９は、公知であるので簡単に説明すると、図４が示すように、上記袋状容器８の口頸部11上部に螺合させる装着筒13から上記袋状容器８内へシリンダ14を垂下し、かつ該シリンダ内から上方へ付勢させてノズル15付きヘッド16を上端に有する作動部材を起立し、また、上記装着筒13下端に外向きフランジ状壁17を付設している。
【００１１】
仮止め板19は、図１が示すように、板部20の前部側縁から前後方向中間まで割溝21を穿設し、上記外容器体１の矩形透孔5bとポンプ体９の装着筒13下端との間の口頸部部分を、その割溝21内へ前後摺動可能に嵌合させて、該割溝周辺の板部部分を、上記装着筒13下端と矩形透孔5b周辺の頂壁部分とで強制引き抜き可能に挟持させ、かつ板部20を凹部付き頂壁部分内へ嵌合させ、また、板部20の上面左右両部に小突部を複数付設し、これ等小突部に指先を当てて、当該仮止め板を強制引き抜きするよう形成している。
【００１２】
袋状容器８の交換は以下のように行えばよい。図３が示す状態から、矩形透孔5b周辺の頂壁部分と装着筒13下端との間から、割溝21周辺の板部部分を強制的に引き抜き、次いで袋状容器８の口頸部11を円形透孔5a方向へ摺動させて、ノズル15は矩形透孔5b内を、かつヘッド16および装着筒13は円形透孔5a内を通して下方へ抜き出すことで、外容器体１から袋状容器８およびポンプ体９を取り外す。次いで、袋状容器８からポンプ体９を取り外して、該ポンプ体の装着筒13を交換用袋状容器８の口頸部11へ螺合させ、かつ図中右方向へノズル15を向けた状態で、ポンプ体９付きの袋状容器８を外容器体１内へ周壁２下端開口から挿入させ、次いで、ノズル15、ヘッド16および装着筒13を挿入孔５を通して上方へ通過させ、かつ図１が想像線で示すように、矩形透孔5b内奥部へ口頸部11を摺動させ、更に、装着筒13下端面と矩形透孔5b周辺の頂壁部分との間に仮止め板19を強制的に挿入させて、該仮止め板の割溝21内へ、外向きフランジ12と装着筒13下端面との間の口頸部部分を嵌合させる。以上のようにして袋状容器８を交換することができ、以後ヘッドを押下げることで、収納物がノズル15から吐出される。
また、工場で容器を組み立てる際には、上記のように、交換用の袋状容器８およびポンプ体９を外容器体１に取付ける場合の手順に従って行う。
上記各部材は合成樹脂材でそれぞれ成形する。
【００１３】
【発明の効果】
本発明は上記構成とするものであり、請求項１記載の発明は、袋状胴部10上端から起立する口頸部11下部を、外容器体頂壁３の矩形透孔5bへ左右方向への摺動が可能に嵌合させると共に、該矩形透孔と装着筒13下端との間の口頸部部分を、仮止め板19に穿設した割溝21内へ前後摺動可能に嵌合させて、該割溝周辺の板部部分を装着筒13下端と矩形透孔5b周辺の頂壁部分とで強制引き抜き可能に挟持させ、また、外容器体頂壁３に穿設した挿入孔５を、ノズル15は矩形透孔5b内を、かつヘッド16と装着筒13とは円形透孔5a内を、それぞれ通って上方へ通過させることが可能な大きさに形成したから、図３が示す状態から、矩形透孔5b周辺の頂壁部分と装着筒13下端との間から、仮止め板20を強制的に引き抜き、次いで袋状容器８の口頸部11を円形透孔5a方向へ摺動させて、ノズル15、ヘッド16および装着筒13を挿入孔５内を通して下方へ抜き出すことで、袋状容器８付きのヘッド押下げ式ポンプ７を外容器体１から容易に取り外すことができ、また上記構成としたから、装着筒13下端面と矩形透孔5b周辺の頂壁部分との間に仮止め板19を強制的に挿入させ、かつ該仮止め板の割溝21内へ、外向きフランジ12と装着筒13下端面との間の口頸部部分を嵌合させることで、袋状容器８付きのヘッド押下げポンプ７を外容器体１へ容易かつ確実に取付けることができ、よって、袋状容器８を容易に交換できる。
【００１４】
請求項２記載の発明は、外向きフランジ12を円形透孔5aより大外径としたから、袋状容器８の交換ないし容器組み立て時に、ノズル付きヘッド16および装着筒13を挿入孔５を通して上方へ通過させる際、外向きフランジ12上面を円形透孔5a周辺の頂壁部分下面へ係合させることで、袋状容器８付きのヘッド押下げ式ポンプ１を所定位置で停止させることができ、よって、袋状容器８の口頸部11下部を矩形透孔5b内へ容易に嵌合させることができるので、請求項１の発明に比して、袋状容器８の交換および容器の組み立てが一層容易となる。
【図面の簡単な説明】
【図１】  本発明容器の一実施形態の分解斜視図である。
【図２】  同実施形態の縦断面図である。
【図３】  同実施形態の斜視図である。
【図４】  同実施形態の袋状容器とポンプの斜視図ある。
【符号の説明】
１…外容器体  ７…袋状容器付きのヘッド押下げポンプ
19…仮止め板
【図１】
0003638705.tif 000002
【図２】
0003638705.tif 000003
【図３】
0003638705.tif 000004
【図４】
0003638705.tif 000005